(57)【要約】【課題】多種多様な掃除機本体に対応可能であり、運転中の騒音を確実に抑えることができる電気掃除機の収納カバーおよびそれを備えた電気掃除機を提供すること。【解決手段】電気掃除機の掃除機本体を収納するカバー本体を備え、前記カバー本体は、掃除機本体を出し入れする開閉可能な開閉部と、内部に収納された掃除機本体の吸込接続口を挿通させて外部へ露出させる接続口用挿通孔とを有することを特徴とする電気掃除機の収納カバー。【選択図】図４
2019088665.tif 000002
【特許請求の範囲】
【請求項１】
電気掃除機の掃除機本体を収納するカバー本体を備え、
前記カバー本体は、掃除機本体を出し入れする開閉可能な開閉部と、内部に収納された掃除機本体の吸込接続口を挿通させて外部へ露出させる接続口用挿通孔とを有することを特徴とする電気掃除機の収納カバー。
【請求項２】
前記カバー本体が、拡径縮径可能なように周方向に複数の襞が設けられた筒形胴部を有する請求項１に記載の収納カバー。
【請求項３】
前記カバー本体は、前記筒形胴部の前端部側に設けられた前記接続口用挿通孔を有する前端面部と、前記筒形胴部の後端部側に設けられた後端面部とを含み、
前記後端面部が、掃除機本体と商用電源とを接続する電気コードを挿通させる電気コード用挿通孔を有する請求項２に記載の収納カバー。
【請求項４】
前記前端面部が伸縮性生地にて形成されると共に、前記後端面部が伸縮性生地または拡径縮径可能な拡縮面機構部にて形成された請求項３に記載の収納カバー。
【請求項５】
前記カバー本体の外面にバッテリー収納用ポケットが設けられた請求項１〜４のいずれか１つに記載の収納カバー。
【請求項６】
一対のフック部が設けられた両端部を有する肩掛けベルトをさらに備え、
前記肩掛けベルトの前記一対のフック部と係脱可能に連結する一対のリング部が前記カバー本体の外面に設けられた請求項１〜５のいずれか１つに記載の収納カバー。
【請求項７】
電動送風機および集塵部を有する掃除機本体と、前記掃除機本体を収納可能な請求項１〜６のいずれか１つに記載の収納カバーとを備えた電気掃除機。
【発明の詳細な説明】
【技術分野】
【０００１】
本発明は、電気掃除機の収納カバーおよびそれを備えた電気掃除機に関する。
【背景技術】
【０００２】
従来の電気掃除機として、例えば、特許文献１には、掃除機本体の後方の排気部に排気フィルターを具備したリヤカバーを設け、このリヤカバーの外面側に凹部を設けると共に、大きな排気孔を形成し、半球面を有する吸音材を具備した防音板を、その吸音材が排気孔に対面し、かつ排気流に対しほぼ直角に位置するようにリヤカバーの凹部に配置し、リヤカバーと防音板との間に排気通路を構成した電気掃除機が開示されている。
特許文献１の電気掃除機によれば、リヤカバーの排気孔に吸音材を対面させているため排気に含まれる振動音が吸音され、排気孔には格子リブがないため排気による風切り音の発生が減少し、スムーズな排気が行われるため排気騒音が小さくなるとされている。
【０００３】
また、特許文献２には、排気口と、集塵部と、電動送風機を覆う防音ケースと、防音ケースに設けた開口と、掃除機本体と集塵部の間に設けた閉空間部と、防音ケースの下方と掃除機本体との間に設けられ排気口と連通する排気通路とを備え、防音ケースの開口部と閉空間部と排気通路とを連通することで、排気風は、防音ケースの開口部より排出され、閉空間部を介して排気通路を通り、排気口から排出されるように構成された電気掃除機が開示されている。
特許文献２の電気掃除機によれば、電動送風機から発生した騒音や排気の風切り音は、閉空間部内で共鳴し、ヘルムホルツ共鳴器と同一の消音効果が得られ、騒音や排気の風切り音を減衰させることが可能となるとされている。
【０００４】
また、特許文献３には、掃除機本体と、掃除機本体の一部およびその付属品を収納する上面開放状の収納ケースと、収納ケースの上面開放部周縁に取り付けられ掃除機本体を支持する支持部を有する枠状の本体保持カバーとを備えた電気掃除機が開示されている。
特許文献３の電気掃除機において、本体保持カバーおよび収納ケースの後端部側に、載置された掃除機本体の排気口と連通する接続口と、外部に連通する排気出口とを有する静音室が設けられ、この静音室内には吸音材が設けられている。
特許文献３の電気掃除機によれば、収納ケースに本体保持カバーを介して掃除機本体が搭載された状態で静音な清掃運転ができるとされている。
【先行技術文献】
【特許文献】
【０００５】
【特許文献１】特開平４−７３０３０号公報
【特許文献２】特開２０１３−３４５６４号公報
【特許文献３】特開２０００−２６２４３９号公報
【発明の概要】
【発明が解決しようとする課題】
【０００６】
特許文献１および２の電気掃除機では、防音構造を採用する、防音材を貼る、排気経路を長くする等により低騒音化を図るため、掃除機本体の重量が増加し大型化する傾向にある。また、充電式のスティック型電気掃除機では、小型軽量化のために防音材等を使用する箇所が大幅に制限されるため、低騒音化は困難である。
また、特許文献３の電気掃除機では、収納ケースに本体保持カバーを介して掃除機本体が搭載された状態で清掃を行えば、排気音の低騒音化は抑制されるものの、掃除機本体の上半部が外部に露出しているため電動送風機の駆動音を低騒音化することはできない。また、１階から２階の室内を静音で掃除する際は、掃除機本体と共に収納ケースと本体保持カバーも持ち運ぶ必要があり、清掃が重労働となる。
【０００７】
本発明は、このような課題に鑑みなされたものであり、多種多様な掃除機本体に対応可能であり、運転中の騒音を確実に抑えることができる電気掃除機の収納カバーおよびそれを備えた電気掃除機を提供することを目的とする。
【課題を解決するための手段】
【０００８】
かくして、本発明によれば、電気掃除機の掃除機本体を収納するカバー本体を備え、
前記カバー本体は、掃除機本体を出し入れする開閉可能な開閉部と、内部に収納された掃除機本体の吸込接続口を挿通させて外部へ露出させる接続口用挿通孔とを有する電気掃除機の収納カバーが提供される。
【０００９】
また、本発明の別の観点によれば、電動送風機および集塵部を有する掃除機本体と、前記掃除機本体を収納可能な前記収納カバーとを備えた電気掃除機が提供される。
【発明の効果】
【００１０】
本発明によれば、多種多様の掃除機本体を収納カバー内に収納することができ、掃除機本体の吸込接続口を接続口用挿通孔から外部へ露出させ、吸込接続口に延長パイプ等を介して吸込口体を接続することにより、収納カバー内に収納した状態で掃除機本体内の電動送風機を駆動させて掃除を行うことができる。この際、掃除機本体の後部の排気口から排出される排出エアーは前方の接続口用挿通孔へ排出エアーが回り込んで外部に排出されるため外部への排気音が弱音化されると共に、収納カバーによって電動送風機の外部への駆動音は弱音化される。
このように、本発明の電気掃除機の収納カバーによれば、多種多様な掃除機本体に対応可能であり、出力を抑えることなく電気掃除機の運転中の騒音を確実に抑えることができる。本発明の収納カバーは、特に、スティック型およびキャニスター型電気掃除機の掃除機本体を収納し防音するのに適している。
【図面の簡単な説明】
【００１１】
【図１】本発明に係る実施形態１の電気掃除機の収納カバーであって（Ａ）は前方から視た斜視図、（Ｂ）は後方から視た斜視図である。
【図２】実施形態１の収納カバーにおける（Ａ）は第１の筒形胴部の斜視図、（Ｂ）は第２の筒形胴部の斜視図である。
【図３】実施形態１の収納カバーにて収納可能なスティック型電気掃除機の一例を示す斜視図である。
【図４】図３のスティック型電気掃除機の掃除機本体を実施形態１の収納カバー内に収納した状態を示す右側面図である。
【図５】実施形態１の収納カバー内に収納した掃除機本体のハンドルを持った状態の説明図である。
【図６】実施形態１の収納カバーにて収納可能なキャニスター型電気掃除機の一例を示す斜視図である。
【図７】図６のキャニスター型電気掃除機の掃除機本体を実施形態１の収納カバー内に収納した状態を示す右側面図である。
【図８】実施形態２の収納カバー内にキャニスター型電気掃除機の掃除機本体を収納した状態を示す使用状態説明図である。
【図９】図３のスティック型電気掃除機の掃除機本体を実施形態３の収納カバー内に収納した状態を示す右側面図である。
【図１０】実施形態４の収納カバーにおける後端面部を示す図であって（Ａ）は拡径状態、（Ｂ）は縮径状態である。
【発明を実施するための形態】
【００１２】
（実施形態１）
図１は本発明に係る実施形態１の電気掃除機の収納カバーであって（Ａ）は前方から視た斜視図、（Ｂ）は後方から視た斜視図である。また、図２は実施形態１の収納カバーにおける（Ａ）は第１の筒形胴部の斜視図、（Ｂ）は第２の筒形胴部の斜視図である。
図１に示すように、実施形態１の収納カバー１は、電気掃除機の掃除機本体（図３、図６参照）を収納するカバー本体１０を備える。
【００１３】
カバー本体１０は、掃除機本体を出し入れする開閉可能な開閉部１１ａと、内部に収納された掃除機本体の吸込接続口（図４、図７参照）を挿通させて外部へ露出させる接続口用挿通孔１２ａとを有する。
詳しく説明すると、カバー本体１０は、開閉部１１ａを有する筒形胴部１１と、筒形胴部１１の前端部側に設けられた接続口用挿通孔１２ａを有する前端面部１２と、筒形胴部１１の後端部側に設けられた後端面部１３とを有する。
【００１４】
筒形胴部１１は、生地、発泡樹脂シートまたはゴムシートからなり、図２（Ａ）および（Ｂ）に示すように、拡径縮径可能なように周方向に複数の襞が設けられている。
図２（Ａ）に示す筒形胴部１１Ａの場合、襞１１ａ1は周方向の両端縁部に２つの山折り部分を有する逆台形に形成されており、隣接する２つの襞１１ａ1と襞１１ａ1の間には２つの谷折り部分が設けられている。
図２（Ｂ）に示す筒形胴部１１Ｂの場合、襞１１ａ2は１つの山折り部分を有する山形に形成されており、隣接する２つの襞１１ａ1と襞１１ａ1の間には１つの谷折り部分が設けられている。
【００１５】
実施形態１の収納カバー１においては、図２（Ａ）の襞１１ａ1が採用されているが、図２（Ａ）の襞１１ａ1と図２（Ｂ）の襞１１ａ2のどちらでもよく、後述のようにして複数の襞を有する筒形胴部１１の両端部が前端面部１２と後端面部１３の各外周部に接合される。
また、筒形胴部１１において、複数の襞のうちの１つに長手方向のスリットが形成されると共に、スリットの周囲部にファスナーが取り付けられて開閉部１１ａが構成されている。なお、ファスナーとしては、複数の歯を有する線ファスナーあるいはフック部とループ部を有する面ファスナーを用いることができる。
【００１６】
前端面部１２は、中心部に接続口用挿入孔１２ａを有する円形の伸縮性生地からなり、接続口用挿入孔１２ａの周囲部に複数の扇形可撓性シート１２ａ1が取り付けられている。
伸縮性生地としては、例えば、ストレッチ試験で３０〜３００％の伸縮性を有する生地を用いることができ、具体的には、弾性を有するスパンデックス（ポリウレタン弾性糸）が挙げられる。なお、筒形胴部１１を生地にて形成する場合は、この伸縮性生地を用いることができる。
【００１７】
複数の扇形可撓性シート１２ａ1は、例えば、接続口用挿入孔１２ａよりも大きい円形のゴムシートに放射状の切れ込みを入れることによって形成することができ、その切れ込みを有するゴムシートの周囲部を前端面部１２の内面における接続口用挿入孔１２ａの周囲部に接着剤にて接着することにより取り付けられる。
【００１８】
後端面部１３は、前端面部１２と同様の円形の伸縮性生地からなり、その周囲部近傍に小さい電気コード用挿通孔１３ａが形成されると共に、電気コード用挿通孔１３ａの周囲部に複数の扇形可撓性シート１３ａ1が取り付けられている。これら複数の扇形可撓性シート１３ａ1は前記と同様に形成することができる。
【００１９】
筒形胴部１１と前端面部１２との接合は、例えば、前端面部１２の円形の周囲部を内側へ折り返し、その折り返し部と帯状生地１４とで筒形胴部１１の複数の襞を有する前端部を挟み込んで縫い付けることにより行うことができる。
筒形胴部１１と後端面部１３との接合もこれと同様に行うことができる。
【００２０】
図３は実施形態１の収納カバーにて収納可能なスティック型電気掃除機の一例を示す斜視図である。
このスティック型電気掃除機８０は、掃除機本体８１と、掃除機本体８１の吸込接続口８１ａに着脱可能に接続される延長パイプ８２と、延長パイプ８２の下端部に着脱可能に接続される吸込口体８３とを備える。
掃除機本体８１は、後端部にハンドル部８１ｂおよび操作スイッチ部８１ｃを有すると共に内部にバッテリーおよび電動送風機（不図示）を備える駆動装置８１Ａと、駆動装置８１Ａに着脱可能に装着される集塵部としてのサイクロン方式のダストカップユニット８１Ｂとを備える。なお、駆動装置８１Ａの右側面には排気口（不図示）が設けられている。
【００２１】
このスティック型電気掃除機８０によれば、操作スイッチ部８１ｃを操作して電動送風機を駆動させると、床面上の塵埃を含む空気が吸込口体８３から吸引され、延長パイプ８２を介して掃除機本体８１の吸込接続口８１ａ内に流入する。そして、塵埃を含む空気は、ダストカップユニット８１Ｂ内に流入し、ダストカップユニット８１Ｂ内で塵埃が捕捉される。その後、塵埃が除去された空気は駆動装置８１Ａ内に流入し、電動送風機を通過して排気口から外部に排出される。
【００２２】
次に図１〜図５を参照しながら実施形態１の収納カバー１内にスティック型電気掃除機８０の掃除機本体８１を収納して掃除を行う場合を説明する。
図４は図３のスティック型電気掃除機の掃除機本体を実施形態１の収納カバー内に収納した状態を示す右側面図であり、図５は実施形態１の収納カバー内に収納した掃除機本体のハンドルを持った状態の説明図である。
【００２３】
実施形態１の収納カバー１内に掃除機本体８１を収納する際は、カバー本体１０の開閉部１１ａを開き、カバー本体１０内に掃除機本体８１を入れてその吸込接続口８１ａを接続口用挿入孔１２ａから外部へ露出させた後、開閉部１１ａを閉じる。そして、掃除機本体８１の吸込接続口８１ａに延長パイプ８２および吸込口体８３を接続して清掃可能な状態となる。
【００２４】
掃除機本体８１を収納した収納カバー１において、後端面部１３はハンドル８１ｂによって後方へ膨らんだ状態となり、この膨らんだ後端面部１３を介して使用者は手Ｈでハンドル８１ｂを握ることができる。このとき、後端面部１３が伸縮性生地から形成されることにより、手をハンドル部８１ｂにフィットさせやすくなる（図５参照）。また、後端面部１３を介してハンドル部８１ｂの外面を触れることにより操作スイッチ部８１ｃの位置を認識することができるため、使用者は後端面部１３を介して指で操作スイッチ部８１ｃを操作して運転と停止の操作を行うことができる。
【００２５】
清掃時、掃除機本体８１は吸込接続口８１ａを除いて全体的に収納カバー１にて覆われているため、電装送風機の駆動音および排気音が弱音化され、外部への騒音が大幅に軽減される。なお、掃除機本体８１からの排出エアーは、掃除機本体８１と収納カバー１との間の空間内を通って後方の電気コード用挿通孔１３ａから複数の扇形可撓性シート１３ａ1を押して外部へ排出される。なお、掃除機本体８１の吸込接続口８１ａの外周面に複数の扇形可撓性シート１２ａ1が密着しているため、接続口用挿通孔１２ａからは排気エアーが排出されにくくなっているが、排気量が多い場合は接続口用挿通孔１２ａからも排気エアーが排出される。
【００２６】
図６は実施形態１の収納カバーにて収納可能なキャニスター型電気掃除機の一例を示す斜視図である。
このキャニスター型電気掃除機９０は、掃除機本体９１と、掃除機本体９１の吸込接続口９１ａに着脱可能に接続される一端部を有する可撓性ホース９２と、可撓性ホース９２の他端部側に設けられたハンドル部９３および操作スイッチ部９４と、可撓性ホース９２の他端部と着脱可能に接続される延長パイプ９５と、延長パイプ９５の下端部に着脱可能に接続される吸込口体９６とを備える。
【００２７】
掃除機本体９１は、左右の車輪および前輪を有すると共に電気コードが巻設されたコードリールおよび電動送風機（不図示）を内部に収納する駆動装置９１Ａと、駆動装置８１Ａに着脱可能に装着される集塵部としてのサイクロン方式のダストカップユニット９１Ｂとを備える。なお、駆動装置９１Ａの後端面には排気口（不図示）が設けられている。
【００２８】
このキャニスター型電気掃除機９０によれば、操作スイッチ部９４を操作して電動送風機を駆動させると、床面上の塵埃を含む空気が吸込口体９６から吸引され、延長パイプ９５および可撓性ホース９２を介して掃除機本体９１の吸込接続口９１ａ内に流入する。そして、塵埃を含む空気は、ダストカップユニット９１Ｂ内に流入し、ダストカップユニット９１Ｂ内で塵埃が捕捉される。その後、塵埃が除去された空気は駆動装置９１Ａ内に流入し、電動送風機を通過して排気口から外部に排出される。
【００２９】
次に図１、図２、図６および図７を参照しながら実施形態１の収納カバー１内にキャニスター型電気掃除機９０の掃除機本体９１を収納して掃除を行う場合を説明する。
図７は図６のキャニスター型電気掃除機の掃除機本体を実施形態１の収納カバー内に収納した状態を示す右側面図である。
【００３０】
実施形態１の収納カバー１内に掃除機本体９１を収納する際は、カバー本体１０の開閉部１１ａを開き、カバー本体１０内に掃除機本体９１を入れてその吸込接続口９１ａを接続口用挿入孔１２ａから外部へ露出させると共に、コードリールから少し引き出した電気コード９１ｂの先端のプラグ（不図示）を電気コード用挿通孔１３ａから外部へ露出させた後、開閉部１１ａを閉じる。この際、キャニスター型電気掃除機９０の掃除機本体９１の外形サイズは通常時（自由状態）の収納カバー１の容積よりも大きいため、複数の襞１１ａ1の各ピッチが広がって筒形胴部１１は拡径（膨張）した状態となる。また、伸縮性生地からなる前端面部１２および後端面部１３は、掃除機本体９１の前端部および後端部にて押圧された場合は外方へ膨らむことができる。
【００３１】
収納ケース１内に収納された掃除機本体９１の吸込接続口９１ａに可撓性ホース９２、延長パイプ９５および吸込口体９６を接続することにより清掃可能な状態となるが、掃除機本体９１の車輪が収納ケース１にて覆われるため、この状態で清掃すると収納ケース１が床面Ｇ上で引きずられることとなって移動がしにくくなる。そのため、掃除機本体９１を収納した収納カバー１を載置可能な台車７０を使用してもよい。
【００３２】
この台車７０としては、例えば、台部７１と、台部７１の下面に設けられた首振り可能な前輪７２および左右の後輪７３と、台部７１の上面に設けられたクッション部７４とを備えた構成のものを使用することができる。
収納カバー１にて覆われた掃除機本体９１を台車７０上に載置することにより、清掃時に安定かつスムーズに台車７０が床面Ｇ上を移動することができる。
【００３３】
清掃時、掃除機本体９１は吸込接続口９１ａを除いて全体的に収納カバー１にて覆われているため、電装送風機の駆動音および排気音が弱音化され、外部への騒音が大幅に軽減される。なお、掃除機本体９１からの排出エアーは、収納カバー１の後端面部１３の電気コード用挿通孔１３ａから複数の扇形可撓性シート１３ａ1を押して外部へ排出される。なお、掃除機本体９１の吸込接続口９１ａの外周面に複数の扇形可撓性シート１２ａ1が密着しているため、接続口用挿通孔１２ａからは排気エアーが排出されにくくなっているが、排気量が多い場合は接続口用挿通孔１２ａからも排気エアーが排出される。
【００３４】
（実施形態２）
図８は実施形態２の収納カバー内にキャニスター型電気掃除機の掃除機本体を収納した状態を示す使用状態説明図である。なお、図８において、図１〜図７中の要素と同様の要素には同一の符号を付している。
実施形態２の収納カバー１０１は、一対のフック部２１が設けられた両端部を有する肩掛けベルト２０をさらに備えた点、および肩掛けベルト２０の一対のフック部２１と係脱可能に連結する一対のリング部１４がカバー本体１の外面に設けられた点が実施形態１とは異なり、その他の点は実施形態１と同様である。
実施形態２によれば、キャニスター型電気掃除機９０の掃除機本体９１を収納カバー１０１内に収納し、肩掛けベルト２０を使用者Ｕの肩に掛けることにより、図７で説明した台車７０を使用しなくとも清掃時の機動性が向上する。
【００３５】
（実施形態３）
図９は図３のスティック型電気掃除機の掃除機本体を実施形態３の収納カバー内に収納した状態を示す右側面図である。なお、図９において、図４中の要素と同様の要素には同一の符号を付している。
実施形態３の収納カバー２０１は、その外面（例えば、下面）にバッテリー収納用ポケット１５が設けられている点が実施形態１とは異なり、その他の点は実施形態１と同様である。
【００３６】
この構成によれば、掃除機本体８１が充電式バッテリーを備えたものである場合、収納カバー２０１のバッテリー収納用ポケット１５に収納した補助バッテリーＢを掃除機本体８１にケーブルＣにて接続することにより長時間運転が可能となる。この際、収納カバー２０１の後部の電気コード用挿通孔１３ａにケーブルＣを通して掃除機本体８１の後端部に設けられたコネクタ部（不図示）に接続することができる。
【００３７】
（実施形態４）
図１０は実施形態４の収納カバーにおける後端面部を示す図であって（Ａ）は拡径状態、（Ｂ）は縮径状態である。
実施形態１で説明した収納カバー１（図１）において、後端面部は図１０（Ａ）および（Ｂ）に示すような拡径縮径可能な拡縮面機構部１１３にて形成されてもよい。なお、実施形態４において、その他の構成は実施形態１と同様である。
【００３８】
この拡縮面機構部１１３は、頂部に向かって延びるスリット１１３ａ1をそれぞれ有する複数の扇形プレート１１３ａと、互いに重ね合わされた複数の扇形プレート１１３ａの各スリットを挿通してそれらを連結する連結軸１１３ｂと、隣接する２つの扇形プレート１１３ａの円弧部分を連結する連結ピン１１３ｃとを備え、これらは軽量化に有利な樹脂にて構成されることが好ましい。
さらに、最外面側の扇形プレート１１３ａｘには摘み１１３ａ2が設けられると共に、最外面側の扇形プレート１１３ａｘに連結ピン１１３ｃで連結された扇形プレート１１３ａｙには複数の扇形可撓性シート１３ａ1を有する電気コード用挿通孔１１３ａ3が設けられている。
【００３９】
この拡縮面機構部１１３によれば、最外面側の扇形プレート１１３ａｘと隣接する連結ピン１１３ｃで連結されていない扇形プレート１１３ａｚを持ちながら摘み１１３ａ2を矢印Ａ方向へ移動させることにより、各扇形プレート１１３ａが連結軸１１３ｂを中心に回動しながら連結軸１１３ｂの方へスライドし、図１０（Ｂ）で示すように全体として縮径した状態に変形する。図１０（Ｂ）において、２点鎖線で示した円は、図１０（Ａ）で示した拡径時の拡縮面機構部１１３の輪郭線である。
なお、実施形態４の場合、収納カバーの筒形胴部の後端部と拡縮面機構部１１３との接合は、例えば、各扇形プレート１１３ａの円弧面部に収納カバーの筒形胴部の後端部を接着して行うことができる。
【００４０】
（他の実施形態）
１．実施形態１では、１つの収納カバーによってスティック型電気掃除機の掃除機本体とキャニスター型電気掃除機の掃除機本体の両方に適用できるように、筒形胴部に複数の襞を設けて拡径と縮径が可能な構成を例示したが、小さい掃除機本体専用の収納カバーおよび大きい掃除機本体専用の収納カバーを作製してもよい。これら専用の収納カバーでは複数の襞を設ける必要はない。
【００４１】
２．収納カバーの他の実施形態として、輪状の紐によって開閉部を開閉させる巾着袋状のカバー本体を用意し、そのカバー本体の開閉部とは反対側に接続口用挿通孔を形成して収納カバーを作製してもよい（不図示）。
この構成によれば、収納カバー内に掃除機本体を収納すると開閉部が掃除機本体の後端部側に配置され、開閉部を紐で強く閉じても小さい孔が形成されるため、この小さい孔から排出エアーを外部に排出することができ、かつ電気コードも外部に引き出すことができて好都合となる。また、開閉部を大きく開くことができるため、収納カバーに対する掃除機本体の出し入れが簡便となり、下端部に着脱可能な吸込口体を有しかつ上端部にスティック型のハンドルを有するアップライト型電気掃除機の掃除機本体も収納カバー内に収納可能となる。
【００４２】
この巾着袋形の収納カバーの場合、次のように構成してもよく、それらが適宜組み合わされてもよい。
（Ｉ）カバー本体全体を伸縮性生地にて形成してもよく、カバー本体の筒形胴部に相当する部分に周方向に複数の襞部を設けてもよい。
（ＩＩ）接続口用挿通孔の周囲部にも紐あるいはゴムバンドを設けて掃除機本体の吸込接続口の太さに対応できるようにしてもよい。
（ＩＩＩ）開閉部の紐と接続口用挿通孔の紐とに肩掛けベルトの両端部を着脱可能に連結できるようにしてもよい。
（ＩＶ）カバー本体を内袋と外袋の二重構造とし、内袋と外袋との間に防音効果を高める発泡樹脂粒子を充填してもよい。
【００４３】
（まとめ）
本発明の電気掃除機の収納カバーは、電気掃除機の掃除機本体を収納するカバー本体を備え、
前記カバー本体は、掃除機本体を出し入れする開閉可能な開閉部と、内部に収納された掃除機本体の吸込接続口を挿通させて外部へ露出させる接続口用挿通孔とを有する。
【００４４】
本発明の電気掃除機の収納カバーは、次のように構成されてもよく、それらが適宜組み合わされてもよい。
（１）前記カバー本体が、拡径縮径可能なように周方向に複数の襞が設けられた筒形胴部を有してもよい。
この構成によれば、例えば、キャニスター型電気掃除機といった外形サイズが大きな掃除機本体を収納カバー内に収納する際はカバー本体を膨張させ、スティック型電気掃除機といった外形サイズが小さな掃除機本を収納カバー内に収納する際はカバー本体を収縮させることができるため、１つの収納カバーで多種多様の掃除機本体に対応することが可能となる。
【００４５】
（２）前記カバー本体は、前記筒形胴部の前端部側に設けられた前記接続口用挿通孔を有する前端面部と、前記筒形胴部の後端部側に設けられた後端面部とを含み、
前記後端面部が、掃除機本体と商用電源とを接続する電気コードを挿通させる電気コード用挿通孔を有してもよい。
この構成によれば、収納カバーを電気コード式のキャニスター型電気掃除機に対応させることができる。また、掃除機本体からの排出エアーを電気コード用挿通孔から外部へ排出させることも可能となる。
【００４６】
（３）前記筒形胴部が生地、発泡樹脂シートまたはゴムシートにて形成されてもよい。
筒形胴部が生地またはゴムシートにて形成された場合は、不使用時の収納カバーを折り畳んで保管することができる。筒形胴部が発泡樹脂シートまたはゴムシートにて形成された場合は、電動送風機の駆動音を効果的に弱音化することができる。
【００４７】
（４）前記前端面部が伸縮性生地にて形成されると共に、前記後端面部が伸縮性生地または拡径縮径可能な拡縮面機構部にて形成されてもよい。
この構成によれば、前端面部および後端面部が筒形胴部の膨張収縮に追随して拡径縮径することができる。
【００４８】
（５）前記カバー本体における前記接続口用挿通孔および前記電気コード用挿通孔の周囲部に複数の扇形可撓性シートが取り付けられてもよい。
この構成によれば、掃除機本体の吸込接続口と接続口用挿通孔との間の隙間を複数の扇形可撓性シートによって小さくし、電気コードと電気コード用挿通孔との間の隙間を複数の扇形可撓性シートによって小さくすることができるため、電動送風機の駆動音の音漏れを抑制することができる。
【００４９】
（６）前記カバー本体の外面にバッテリー収納用ポケットが設けられてもよい。
この構成によれば、掃除機本体が充電式バッテリーを備えたものである場合、収納カバーのバッテリー収納用ポケットに収納した補助バッテリーを掃除機本体にケーブルにて接続することにより長時間運転が可能となる。
【００５０】
（７）一対のフック部が設けられた両端部を有する肩掛けベルトをさらに備え、
前記肩掛けベルトの前記一対のフック部と係脱可能に連結する一対のリング部が前記カバー本体の外面に設けられてもよい。
この構成によれば、キャニスター型電気掃除機の掃除機本体を収納カバー内に収納し、肩掛けベルトを使用者の肩に掛けることにより、清掃時の機動性が向上する。
【００５１】
また、本発明の別の観点によれば、電動送風機および集塵部を有する掃除機本体と、前記掃除機本体を収納可能な前記収納カバーとを備えた電気掃除機が提供される。
この場合、前記掃除機本体を収納した収納カバーを載置可能な台車をさらに備えてもよく、これにより収納カバー内に収納された掃除機本体の移動が台車によってスムーズとなる。
【００５２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５３】
１、１０１、２０１  収納カバー
１０  カバー本体
１１、１１Ａ、１１Ｂ  筒形胴部
１１ａ  開閉部
１１ａ1、１１ａ2  襞
１２  前端面部
１２ａ  接続口用挿通孔
１２ａ1、１３ａ1  扇形可撓性シート
１３  後端面部
１３ａ、１１３ａ３  電気コード用挿通孔
１４  リング部
１５  バッテリー収納用ポケット
２０  肩掛けベルト
２１  フック部
７０  台車
８０、９０  電気掃除機
８１、９１  掃除機本体
８１ａ、９１ａ  吸込接続口
９１ｂ  電気コード
１１３  拡縮面機構部
【図１】
2019088665.tif 000003
【図２】
2019088665.tif 000004
【図３】
2019088665.tif 000005
【図４】
2019088665.tif 000006
【図５】
2019088665.tif 000007
【図６】
2019088665.tif 000008
【図７】
2019088665.tif 000009
【図８】
2019088665.tif 000010
【図９】
2019088665.tif 000011
【図１０】
2019088665.tif 000012